(57)【特許請求の範囲】
【請求項１】
駐車情報提供装置が、駐車情報を提供する方法において、
（ａ）ユーザに駐車スペースを提供する駐車場提供者と関連した駐車場提供者端末から受信した情報を利用して、複数の駐車場の駐車情報を保持するステップと、
（ｂ）ユーザ端末から位置情報および価格情報を含む検索条件情報を受信するステップと、
（ｃ）前記検索条件情報に基づいて、前記複数の駐車情報のうち一つ以上の駐車情報を検索するステップと、
（ｄ）前記検索された一つ以上の駐車情報を前記ユーザ端末に提供するステップと、
（ｅ）前記ユーザ端末から駐車選択情報を受信するステップと、
（ｆ）前記駐車選択情報に基づいて電子クーポンを発行するステップと、
（ｇ）既に発行された複数の電子クーポンに基づいて、現在時間に駐車可能な駐車場情報を提供するステップと、を含み、
前記検索条件情報は、
駐車開始時刻、駐車終了時刻、及び決済手段情報のうち１つ以上をさらに含み、
前記検索条件情報に合う結果が無い場合、前記駐車情報提供装置は、予め設定された検索条件情報における優先順位に基づいて再検索する、駐車情報提供方法。
【請求項２】
前記駐車情報は、
駐車場の識別情報、前記駐車場の駐車可能時間情報、価格情報、及び単位時間別駐車可能な車両台数のうち一つ以上を含む請求項１に記載の駐車情報提供方法。
【請求項３】
前記価格情報は、
駐車場の駐車可能な車両台数、現在時刻に駐車された車両台数、及び前記駐車場の駐車スペース占有推移のうち一つ以上に基づいて算出される請求項２に記載の駐車情報提供方法。
【請求項４】
前記（ａ）ステップは、
前記駐車場提供者端末から駐車場の識別情報、前記駐車場の駐車可能時間情報、価格情報、及び単位時間別駐車可能な車両台数のうち一つ以上を受信するステップを含む請求項１に記載の駐車情報提供方法。
【請求項５】
前記駐車選択情報は、駐車場の識別情報、駐車時間情報、及び前記駐車時間情報に関連した価格情報のうち一つ以上を含む請求項１に記載の駐車情報提供方法。
【請求項６】
前記電子クーポンは、駐車場の識別情報、駐車時間情報、発行回次、及び乱数のうち一つ以上を含む請求項１に記載の駐車情報提供方法。
【請求項７】
前記（ｆ）ステップは、
前記電子クーポンを前記ユーザ端末及び前記駐車場提供者端末のうち１つ以上の端末に送信するステップを含む請求項１に記載の駐車情報提供方法。
【請求項８】
（ｈ）前記ユーザ端末又は前記駐車場提供者端末から入車情報を受信するステップをさらに含む請求項１に記載の駐車情報提供方法。
【請求項９】
前記（ｈ）ステップは、
（ｈ−１）前記駐車選択情報に基づいて、前記ユーザ端末にアラーム情報を提供するステップと、
（ｈ−２）前記アラーム情報に対応する前記入車情報を前記ユーザ端末から受信するステップと、を含む請求項８に記載の駐車情報提供方法。
【請求項１０】
（ｉ）前記ユーザ端末又は前記駐車場提供者端末から出車情報を受信するステップをさらに含む請求項８に記載の駐車情報提供方法。
【請求項１１】
（ｊ）前記出車情報に基づいて、前記駐車場提供者端末に関連した駐車場の現在時刻に駐車された車両の台数を更新するステップをさらに含む請求項１０に記載の駐車情報提供方法。
【請求項１２】
駐車情報を提供する駐車情報提供装置であって、
ユーザに駐車スペースを提供する駐車場提供者と関連した駐車場提供者端末から受信した情報を利用して、複数の駐車場の駐車情報を保持する駐車情報管理部と、
ユーザ端末から位置情報および価格情報を含む検索条件情報を受信する検索情報受信部と、
前記検索条件情報に基づいて、前記複数の駐車情報のうち一つ以上の駐車情報を検索する駐車情報検索部と、
前記検索された一つ以上の駐車情報を前記ユーザ端末に提供する駐車情報提供部と、
前記ユーザ端末から駐車選択情報を受信する駐車選択情報受信部と、
前記駐車選択情報に基づいて電子クーポンを発行する電子クーポン発行部と、を含み、
前記駐車情報提供部は、既に発行された複数の電子クーポンに基づいて、現在時間に駐車可能な駐車場を提供し、
前記検索条件情報は、
駐車開始時刻、駐車終了時刻、及び決済手段情報のうち１つ以上をさらに含み、
前記検索条件情報に合う結果が無い場合、予め設定された検索条件情報における優先順位に基づいて再検索する、駐車情報提供装置。
【請求項１３】
前記駐車情報は、
駐車場の識別情報、前記駐車場の駐車可能時間情報、価格情報、及び単位時間別駐車可能な車両台数のうち一つ以上を含む請求項１２に記載の駐車情報提供装置。
【請求項１４】
前記ユーザ端末又は前記駐車場提供者端末から入車情報を受信する入車情報受信部と、
前記ユーザ端末又は前記駐車場提供者端末から出車情報を受信する出車情報受信部と、
前記出車情報に基づいて、前記駐車場提供者端末に関連した駐車場の現在時刻に駐車された車両台数を更新する駐車情報更新部と、をさらに含む請求項１２に記載の駐車情報提供装置。  
【発明の詳細な説明】
【技術分野】
【０００１】
本発明は、駐車情報提供方法及び装置に関する。
【背景技術】
【０００２】
最近、ネットワークインフラの発達と電子端末の性能の向上により、ＩＴ機器を活用する様々なサービスが登場している。
【０００３】
ＩＴ技術の発展は、オフラインで行われる様々な行為をオンラインの範囲内に引き込んでいる。
【０００４】
従来のショッピングスタイルは、オンライン領域に編入されてから長く、モバイルコマースの形で進んでいる状況である。
【０００５】
最近、共有経済、協力的消費などが社会問題となっている。遊休資源の共有は、限られた資源の効率的活用、資源の配分などの意味で拡散されている傾向にある。
【０００６】
駐車場の共有は、資源の効率的な使用という観点から問題となっており、これに関連して駐車情報を共有できる様々なサービスが開発されている。
【０００７】
しかし、駐車情報を共有するサービスは、駐車スペース情報を単に提供する形にとどまっており、駐車料金の決済などのサービスは提供していない。
【０００８】
すなわち、駐車スペースを希望するユーザに駐車が可能なスペースを案内する程度に過ぎず、特定の駐車場の可用空間を予約し、駐車料金を決済するなどの実際の駐車行為に関連したサービスを提供するサービスは、全くないのが実情である。
【発明の概要】
【発明が解決しようとする課題】
【０００９】
本発明の目的は、複数の駐車場の駐車情報を管理し、ユーザの検索条件に基づいて駐車情報をユーザ端末に提供し、ユーザの要求に対応して駐車場で使用できる電子クーポンを発行して提供する駐車情報提供方法及び装置を提供するものである。
【００１０】
また、本発明の他の目的は、ユーザに発行された電子クーポンの使用内訳を管理し、電子クーポンの使用内訳に基づいて、複数の駐車場の駐車現況を提供する駐車情報提供方法及び装置を提供するものである。
【課題を解決するための手段】
【００１１】
前述した技術的課題を達成するための技術的手段として、本発明の第１の側面に係る駐車情報提供方法は、複数の駐車場の駐車情報を保持するステップ、ユーザ端末から位置情報を含む検索条件情報を受信するステップ、前記検索条件情報に基づいて、前記複数の駐車情報のうち一つ以上の駐車情報を検索するステップ、及び前記検索された一つ以上の駐車情報を前記ユーザ端末に提供するステップを含む。
【００１２】
本発明の第２の側面に係る駐車情報提供装置は、複数の駐車場の駐車情報を保持する駐車情報管理部、ユーザ端末から位置情報を含む検索条件情報を受信する検索情報受信部、前記検索条件情報に基づいて、前記複数の駐車情報のうち一つ以上の駐車情報を検索する駐車情報検索部及び前記検索された一つ以上の駐車情報を前記ユーザ端末に提供する駐車情報提供部を含む。
【発明の効果】
【００１３】
前述のような構成を有する本発明の一実施例によれば、複数の駐車場の駐車情報を管理し、ユーザの検索条件に基づいて駐車の情報をユーザ端末に提供し、ユーザの要求に対応して駐車場で使用できる電子クーポンを発行して提供する駐車情報提供方法及び装置を提供することができる。
【００１４】
また、本発明の他の実施例によれば、ユーザに発行された電子クーポンの使用内訳を管理し、電子クーポンの使用内訳に基づいて、複数の駐車場の駐車現況を提供する駐車情報提供方法及び装置を提供することができる。
【図面の簡単な説明】
【００１５】
【図１】本発明の一実施例に係る駐車情報提供システムを説明するための構成図である。
【図２】本発明の一実施例に係る駐車情報提供装置の構成を示すブロック図である。
【図３】本発明の一実施例に係る駐車情報提供方法を説明するためのフローチャートである。
【発明を実施するための形態】
【００１６】
以下、添付図面を参照して、本発明が属する技術分野で通常の知識を有する者が容易に実施できるように本発明の実施例を詳細に説明する。しかし、本発明は様々な異なる形態で具現されることができ、ここで説明する実施例に限定されるものではない。また、図面で本発明を明確に説明するため、説明と関係ない部分は省略し、明細書の全体を通じて類似した部分については、類似した参照符号を付した。
【００１７】
明細書の全体において、どの部分が他の部分と「連結」されているとすると、これは「直接的に連結」されている場合だけではなく、その中間に他の素子を間に置いて、「電気的に連結」されている場合も含む。また、どの部分がどのような構成要素を「含む」とすると、これは特に反対される記載がない限り、他の構成要素を除外するものではなく、他の構成要素をさらに含みうることを意味する。
【００１８】
以下、添付された図面を参照して、本発明を詳細に説明する。
【００１９】
図１は、本発明の一実施例に係る駐車情報提供システムを説明するための構成図である。
【００２０】
本発明の一実施例に係る駐車情報提供システムは、ネットワークＮに連結されたユーザ端末１００、駐車場提供者端末２００、及び駐車情報提供装置３００を含みうる。
【００２１】
ネットワークＮは、ローカルエリアネットワーク（Ｌｏｃａｌ  Ａｒｅａ  Ｎｅｔｗｏｒｋと；ＬＡＮ）、ワイドエリアネットワーク（Ｗｉｄｅ  Ａｒｅａ  Ｎｅｔｗｏｒｋ；ＷＡＮ）、付加価値通信網（Ｖａｌｕｅ  Ａｄｄｅｄ  Ｎｅｔｗｏｒｋ；ＶＡＮ）、個人近距離無線通信（Ｐｅｒｓｏｎａｌ  Ａｒｅａ  Ｎｅｔｗｏｒｋ；ＰＡＮ）、移動通信網（ｍｏｂｉｌｅ  ｒａｄｉｏ  ｃｏｍｍｕｎｉｃａｔｉｏｎ  ｎｅｔｗｏｒｋ）又は衛星通信網などのすべての種類の有線または無線ネットワークとして具現されうる。
【００２２】
ユーザ端末１００及び駐車場提供者端末２００は、ネットワークＮを介して遠隔地のサーバに接続したり、他の端末及びサーバと連結可能なコンピュータ、携帯端末、ロボット（ｒｏｂｏｔ）、及びテレビなどに具現されうる。ここで、コンピュータは、例えば、ウェブブラウザ（ＷＥＢ  Ｂｒｏｗｓｅｒ）が搭載されたノートＰＣ、デスクトップ（ｄｅｓｋｔｏｐ）、ラップトップ（ｌａｐｔｏｐ）などを含み、携帯端末は、例えば、携帯性と移動性が保障される無線通信装置として、ＰＣＳ（Ｐｅｒｓｏｎａｌ  Ｃｏｍｍｕｎｉｃａｔｉｏｎ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎＳ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（Ｓｍａｒｔ  Ｐｈｏｎｅ）などのようなすべての種類のハンドヘルド（Ｈａｎｄｈｅｌｄ）ベースの無線通信装置を含みうる。また、テレビは、ＩＰＴＶ（Ｉｎｔｅｒｎｅｔ  Ｐｒｏｔｏｃｏｌ  Ｔｅｌｅｖｉｓｉｏｎ）、インターネットＴＶ（Ｉｎｔｅｒｎｅｔ  Ｔｅｌｅｖｉｓｉｏｎ）、スマートＴＶ（Ｓｍａｒｔ  Ｔｅｌｅｖｉｓｉｏｎ）、地上波ＴＶ、ケーブルＴＶなどを含みうる。さらに、ユーザ端末１００は、自動車内にエンベデッド（ｅｍｂｅｄｄｅｄ）されたり、または別途に設けられる、車両用コンピュータまたはナビゲーションデバイスを含みうる。
【００２３】
本発明の一実施例によれば、ユーザ端末１００は、ユーザから駐車スペースに関連付けられた所定の検索条件情報が入力され、該当検索条件情報を駐車情報提供装置２００に送信し、駐車情報提供装置２００から所定の検索結果を受信してユーザに提供することができる。また、ユーザ端末１００は受信された検索結果から特定の駐車スペースに関する情報を選択し、選択された駐車スペースに対する駐車権限を予め購入するようにすることができる。例えば、選択された駐車スペースに対して一定金額を決済してクーポンの発行を受ける方式で駐車権限を購入することができる。
【００２４】
例えば、三成駅の近くに駐車しなければなら運転者は、ユーザ端末１００、例えば、スマートフォンを用いて三成駅の近くに駐車可能なスペースを検索することができる。このとき、運転者は、所定の検索条件情報として位置情報、例えば、「三成駅」と時間当たりの駐車料金「１，０００ウォン」を入力することができる。ユーザ端末１００のユーザは、また、このような検索条件情報に対応する検索結果を受信すると、検索された駐車スペースのクーポンを購入することができる。
【００２５】
駐車場提供者端末２００は、ユーザに駐車スペースを提供する駐車場提供者に関連した端末を意味し、例えば、駐車場の所有者、駐車場の管理者、駐車場の委託運営者などが駐車場を管理するために使用する端末でありうる。駐車場提供者端末２００は、予め契約された遊休駐車スペースのクーポン発行状況を確認し、発行されたクーポンの使用可否を確認することができる。
【００２６】
一方、駐車場提供者は、駐車場の所定スペース、またはすべてのスペースをユーザのために提供することができ、駐車場提供者が提供する駐車スペースは、曜日、時間などによって変動されうる。
【００２７】
駐車場提供者は、自分の駐車場を本来の目的に応じて、例えば、建物に入居した入居者、建物の訪問者などに提供することができる。駐車スペースは、時間に応じて余裕スペースが変動されうる資源であり、非貯蔵性商品という特徴がある。すなわち、駐車スペースは、該当時点に販売されないと、在庫が不可能であり、したがって、限界費用（Ｍａｒｇｉｎａｌ  Ｃｏｓｔ）のみを超える場合は、安価でも販売をすることが収益の増進に効果的である。
【００２８】
本発明の一実施例は、駐車場提供者との契約を介して遊休駐車面に対するマーケティング権を確保したり、少なくとも一部を賃借して、該当駐車場の駐車スペースを例えば、前払い（ｐｒｅｐａｙｍｅｎｔ）商品、または電子クーポンなどの形で商品化して提供することができる。駐車場の所有者、開発者、運営者などは、空の駐車スペースを商品化して売る必要性があり、運転者は、駐車スペースを効率的に探す必要性がある。これに本発明の一実施例に係る駐車情報提供方法は、複数の駐車場の駐車情報を保持（ｍａｉｎｔａｉｎ）し、ユーザの検索要求に対応してユーザに駐車情報を提供し、提供された駐車情報に対応する駐車スペースの駐車権限を販売することにより、遊休資源の効率的な使用に役立つことができる。
【００２９】
駐車情報提供装置３００は、ユーザ端末１００及び駐車場提供者端末２００とネットワークで連結されて所定の情報を送受信し、駐車情報に関連した演算、検索などを行うことができる。さらに、検索された駐車情報についてユーザ端末１００から駐車権限を購入しようとする要求が受信されると、決済手続きを進めて電子クーポン方式で駐車権限を販売することができる。これにより駐車情報提供装置３００は、ユーザ端末１００と駐車場提供者端末２００との間で実質的に駐車権限の取引を仲介する役割をすることができる。
【００３０】
図２は、本発明の一実施例に係る駐車情報提供装置３００の構成を示すブロック図である。
【００３１】
本発明の一実施例によると、駐車情報提供装置３００は、駐車情報管理部３１０、検索情報受信部３２０、駐車情報検索部３３０、駐車情報提供部３４０、駐車選択情報受信部３５０、電子クーポン発行部３６０、入車情報受信部３７０、出車情報受信部３８０及び駐車情報更新部３９０を含みうる。
【００３２】
駐車情報管理部３１０は、複数の駐車場の駐車情報を保持する。
【００３３】
駐車情報は駐車場の識別情報、駐車場の駐車可能時間情報、価格情報、及び単位時間別駐車可能車両台数のうち一つ以上を含む。さらに、駐車情報は、付加的に駐車場施設情報、例えば、駐車場の出入口の規格や駐車場の幅、歩行者出入口との距離、近隣地域情報、照度など、ユーザが駐車場を選択するときに考慮できる駐車場の環境に対する情報をさらに含みうる。
【００３４】
駐車場の識別情報は、特定の駐車場を他の駐車場と識別できる固有の情報でありうる。
【００３５】
駐車場の駐車可能時間情報は、駐車場の政策によって変更されうる情報として、例えば、会社員が密集した地域の場合、週末には２４時間開放されることがあるが、平日は午後１０時から午前５時まで駐車可能時間を制限することもある。
【００３６】
価格情報は、ユーザが駐車場の駐車スペース使用の対価として支払う費用に関連した情報を意味する。例えば、駐車権限に対応する電子クーポンの購入のための費用に関連する情報でありうる。価格情報は、市場の状況や各駐車場の状況に応じて変動されうる。
【００３７】
価格情報は、例えば、駐車場提供者端末２００から該当駐車場に関連して受信することができる。また、価格情報は、例えば、単位時間当たりの駐車料金を含むことができ、駐車スペースの使用時間に応じて所定の割引が適用された駐車料金として、割引情報を含みうる。
【００３８】
本発明の一実施例によれば、価格情報は、駐車場の駐車可能車両台数、現在時刻（または駐車希望時刻）に駐車された（予め駐車予約された）車両台数、及び駐車場の駐車スペース占有推移のうち一つ以上に基づいて、算出されうる。
【００３９】
または、本発明の他の一実施例によれば、価格情報は、過去の同日付と時間の駐車場に駐車可能車両台数、価格情報に基づいて現在の駐車場の状況と最も類似した状況である過去の駐車料金を価格情報として算出することができる。
【００４０】
さらに、各駐車場に対応する駐車場提供者端末２００から受信したり、駐車情報提供装置３００の運営者によって入力されるイベント情報に基づいて価格情報が変更されることができる。例えば、駐車スペースのシェアが低い時間帯に一時的に価格情報が低く変動するように予め設定することができ、駐車スペースのシェアが高い時間帯や駐車場の検索回数又は予約率が高くなるほど価格情報が高く変動するように予め設定することができる。
【００４１】
これにより、各駐車場に対応する駐車場提供者端末２００のそれぞれが、手動で価格を修正入力する代わりに、最初入車車両について駐車場提供者端末２００から受信された最低価格を保障し、以降に需要の増加に伴い価格が上昇する方式の価格設定を一括適用して販売促進の効果を収めると同時に駐車場の供給と需要を弾力的に調整することができる。
【００４２】
駐車情報管理部３１０は、駐車場提供者端末２００から駐車場の識別情報、駐車場の駐車可能時間情報、価格情報及び単位時間別駐車可能な車両台数のうち一つ以上を受信することができる。
【００４３】
本発明の一実施例によれば、駐車場提供者は、駐車場提供者端末２００を用いて該当駐車場の駐車可能時間情報、例えば、平日午後９時以降、週末２４時間などの情報を入力して、駐車情報提供装置３００に送信することができる。
【００４４】
また、駐車場提供者は価格情報、駐車可能車両台数などを駐車場提供者端末２００を用いて直接管理することができる。すなわち、駐車場提供者は、状況に応じて遊休駐車スペースを把握し、把握された情報を駐車情報提供装置３００に提供して、遊休駐車スペースを外部のユーザに商品として販売できるものである。駐車場提供者は、駐車場に関連したマーケティング情報などの様々な情報を駐車情報提供装置３００に提供することができ、駐車情報提供装置３００は、駐車場提供者から受信した情報を駐車情報検索などに活用することができる。
【００４５】
検索情報受信部３２０は、ユーザ端末１００から位置情報を含む検索条件情報を受信する。
【００４６】
ここで、検索条件情報は、位置情報、駐車開始時刻、駐車終了時刻、価格情報、及び決済手段情報のうち１つ以上を含む。
【００４７】
本発明の一実施例によれば、ユーザは、ユーザ端末１００を用いて目的地付近の駐車スペースを検索することができる。ユーザは、例えば、三成駅の２番出口の近くに駐車をするため、位置情報として「三成駅」、「三成駅の２番出口」などを入力することができ、到着予定時間を駐車開始時刻として入力することができる。
【００４８】
位置情報は、ユーザが入力するか、ユーザの現在の位置を用いることができ、例えば、ＧＰＳ（Ｇｌｏｂａｌ  Ｐｏｓｉｔｉｏｎｉｎｇ  Ｓｙｓｔｅｍ）などを用いてユーザの位置を把握することができる。
【００４９】
決済手段情報は、駐車料金決済手段に関連した情報として、例えば、現金、カード、電子貨幣、クーポン、積立ポイントなどを含みうる。
【００５０】
駐車情報検索部３３０は、検索条件情報に基づいて、複数の駐車情報のうち一つ以上の駐車情報を検索する。
【００５１】
本発明の一実施例に係る駐車情報提供装置３００は、駐車情報データベース（未図示）を含むことができ、複数の駐車情報を保存して管理することができる。駐車情報検索部３３０は、既に保存された複数の駐車情報及び検索条件情報に基づいて、一つ以上の駐車情報を抽出することができる。
【００５２】
駐車情報提供部３４０は、検索された一つ以上の駐車情報をユーザ端末１００に提供する。
【００５３】
本発明の一実施例によれば、駐車情報提供部３４０は、ユーザ端末１００の位置情報に基づいて、一つ以上の駐車情報を提供するが、駐車可能な駐車場を区分して提供することができる。また、駐車情報提供部３４０は、一つ以上の駐車情報を価格情報、駐車場とユーザ端末１００との距離などの降順、昇順などで並べ替えて提供することもできる。
【００５４】
駐車選択情報受信部３５０は、ユーザ端末１００から駐車選択情報を受信する。
【００５５】
ここで、駐車選択情報は、ユーザが駐車をするために選択した駐車場の情報を含みうる。駐車選択情報は、例えば、駐車場の識別情報、駐車時間情報、及び駐車時間情報に関連した価格情報のうち一つ以上を含みうる。
【００５６】
電子クーポン発行部３６０は、駐車選択情報に基づいて電子クーポンを発行する。
【００５７】
電子クーポンは、駐車場の識別情報、駐車時間情報、発行回次及び乱数のうち一つ以上を含みうる。また、電子クーポンは、電子クーポンの発行を要求したユーザまたはユーザ端末１００に対する情報を含みうる。電子クーポンは、固有の識別情報を持つことができ、電子クーポン識別情報は、例えば、駐車場の識別情報「Ａ００２」、発行回次「０００１」、乱数「２３４９」を含んで「Ａ００２０００１２３４９」のように構成されうる。もちろん、電子クーポン識別情報は、バーコードやＱＲ（Ｑｕｉｃｋ  Ｒｅｓｐｏｎｓｅ）コードなどの画像コードで構成されうる。電子クーポン発行部３６０は、ユーザ端末１００から駐車選択情報を受信すると、電子クーポンの発行のためにユーザ端末１００から価格情報に基づく駐車料金の決済を受けることができる。ここで、電子クーポンの代金が決済されると、決済された金額は、駐車情報提供装置３００の運営者側に支給されるが、場合によっては電子クーポンが発行された駐車場提供者側に支給されるようにすることもできる。このとき、決済は、実際の貨幣で行われることができるが、ポイントなどの電子貨幣を用いて行われることもできる。もちろん、実施例によっては、ユーザが電子クーポンを決済手続きなしに発行された後、実際の駐車時に駐車場提供者とユーザの間で前述の決済手段を用いて決済手続きが行われるようにすることもできる。
【００５８】
本発明の一実施例に係る電子クーポン発行部３６０は、電子クーポンをユーザ端末１００及び駐車場提供者端末２００のうち一つ以上の端末に送信することができる。例えば、駐車情報提供装置３００は、電子クーポンをユーザ端末１００及び駐車場提供者端末２００にともに提供して、追って精算過程で活用することができる。本発明の一実施例によれば、駐車場の利用を終えたユーザは出車時に、電子クーポンを駐車場提供者に提示することができ、駐車場提供者は、該当電子クーポンが既に発行された電子クーポンと一致するかどうかを確認して駐車料金を精算することができる。例えば、ユーザ端末１００に発行された電子クーポンと識別番号を駐車場提供者端末２００が受信して駐車情報提供装置３００に伝達すると、現在時間情報と、電子クーポンの識別情報、及び駐車場提供者端末２００の識別情報に基づいて電子クーポンが使用済みと記録することができる。
【００５９】
一方、駐車場情報提供部３４０は、既に発行された複数の電子クーポンに基づいて、現在時間またはユーザが駐車を希望する時間に駐車可能な駐車場の情報を提供することができる。
【００６０】
例えば、「Ａ００２」の駐車場に単位時間に駐車可能な車両台数が１０台で、特定の時間に発行された電子クーポンが９個である場合、さらに１つの電子クーポンを発行することができる。本発明の一実施例によれば、特定の駐車場の総駐車可能な車両台数と、特定の時間に発行できる電子クーポンの個数は、価格情報算定の要素となることができる。例えば、１０台の車両が駐車できる駐車場の場合、電子クーポンを９個発行することができる時点より電子クーポンを１つだけ発行することができる時点で、より高い駐車料金を徴収するように価格情報を状況に合わせて変更することができ、駐車情報提供装置３００が駐車可能車両台数と発行可能なクーポン個数などに基づいて、価格情報を自動に算定することもできる。
【００６１】
入車情報受信部３７０は、ユーザ端末１００または駐車場提供者端末２００から入車情報を受信する。ここで、入車情報は、特定の電子クーポンの使用状態を活性化させるための情報であることができ、入車の主体であるユーザまたはユーザ端末１００、またはユーザの車両の識別情報を含むことができ、入車時間情報を含むことができる。
【００６２】
入車情報は、ユーザが特定の駐車場に車両を駐車する以前または以後に直接入力して駐車情報提供装置３００に送信することができ、または駐車場提供者が特定の車両が該当駐車場に駐車するとき、駐車情報提供装置３００に送信することもできる。例えば、駐車場提供者は、駐車券発行機が特定の車両の車両番号を認識し、該当車両が本発明の一実施例に係る駐車情報提供サービスを利用する車両の場合、該当車両の車両番号、駐車開始時間などの情報を駐車情報提供装置３００に送信することができる。他の実施例において、ユーザまたは駐車場提供者は、例えば、スマートフォンにインストールされてアプリケーションで入車確認ボタンをタッチしたり、クリックすることで入車情報が入力されるようにすることもできる。このように入車情報が入力されると、駐車情報提供装置３００は、入車の主体となるユーザまたはユーザ端末１００またはそれに対応する車両に対して発行された電子クーポンを「使用中の状態」に活性化することができる。
【００６３】
本発明の一実施例によれば、駐車情報提供装置３００は、ユーザが入力した駐車選択情報に基づいて、該当ユーザのユーザ端末１００にアラーム情報を提供することができる。駐車情報提供装置３００がユーザの駐車選択情報に基づいて電子クーポンを発行した場合、駐車選択情報に含まれている駐車開始時間から一定時間前に、ユーザ端末１００に電子クーポン使用時間が迫っていることを通知するアラーム情報を伝達できる。もちろん、ユーザ端末１００自体で予め発行された電子クーポンに基づいてアラーム情報を生成して出力することもできる。
【００６４】
また、駐車情報提供装置３００は、アラーム情報に対応する入車情報をユーザ端末１００から受信することができる。例えば、駐車情報提供装置３００は、「Ａ００２」の駐車場に午後２時から午後３時まで駐車をするため、電子クーポンを発行されたユーザに、例えば、午後２時にアラーム情報を提供することができる。ユーザは、例えば、アラーム情報に含まれた入車確認ボタンをクリックまたはタッチなどをして入車情報を駐車情報提供装置３００に簡単に伝送することができる。
【００６５】
出車情報受信部３８０は、ユーザ端末１００または駐車場提供者端末２００から出車情報を受信する。
【００６６】
本発明の一実施例によれば、駐車情報提供装置３００は、ユーザが入力した駐車選択情報に基づいて、該当ユーザのユーザ端末１００に出車に関連したアラーム情報を提供することができる。出車情報は、ユーザ端末１００から、または駐車場提供者端末２００から駐車情報提供装置３００に伝達できる。例えば、駐車場提供者端末２００からユーザ端末１００に発行された電子クーポンに含まれた識別情報を読み出して駐車情報提供装置３００に伝達する方式で出車情報を伝達することができるが、これに限定されるものではない。
【００６７】
駐車情報更新部３９０は出車情報に基づいて、駐車場提供者端末２００に関連した駐車場の現在時刻に駐車された車両台数を更新できる。それによって契約された遊休駐車スペース数から現在時刻に駐車された車両台数を差し引いて、現在時刻に駐車可能な車両台数もともに更新することができ、これに基づいて他のユーザに新た電子クーポンを発行できるようにすることができる。
【００６８】
図３は、本発明の一実施例に係る駐車情報提供方法を説明するためのフローチャートである。
【００６９】
図３に示された実施例に係る駐車情報提供方法は、図２に示された駐車情報提供システム上で時系列的に処理されるステップを含む。したがって、以下で省略された内容であっても、図２に示された駐車情報提供システムについて、以上で記述した内容は図３に示された実施例に係る駐車情報提供方法にも適用することができる。
【００７０】
図３を参照して、本発明の一実施例に係る駐車情報提供方法を説明する。
【００７１】
まず、駐車情報提供装置は、複数の駐車場の駐車情報を保持する（Ｓ３１００）。
【００７２】
ステップＳ３１００において、駐車情報提供装置は、サービス提供者端末または駐車場提供者端末から駐車場の識別情報、前記駐車場の駐車可能時間情報、価格情報、及び単位時間別駐車可能な車両台数のうち一つ以上を受信することができる。
【００７３】
このとき、受信する価格情報は、過去の同じ時期に各駐車場で徴収した駐車料金に基づいて決定されることができるか、または現在の各駐車場に駐車予約状況や駐車場利用率に基づいて決定されることができる。
【００７４】
例えば、駐車情報提供装置は、駐車場提供者端末から現在の駐車場の状況及び時期と過去の同じ時期に基づいて、現在の駐車場の状況と最も類似した過去の状況の駐車料金を受信することができ、これに基づいて価格情報を決定することができる。
【００７５】
また、駐車情報提供装置は、ユーザ端末から位置情報を含む検索条件情報を受信する（Ｓ３２００）。
【００７６】
すなわち、駐車情報提供装置は、ユーザ端末から位置情報、価格、駐車時間のうちの少なくとも１つを検索条件情報として受信することができる。
【００７７】
そして、駐車情報提供装置は、検索条件情報に基づいて、複数の駐車情報のうち一つ以上の駐車情報を検索する（Ｓ３３００）。
【００７８】
このとき、検索条件情報に合う結果がない場合、１つの実施例に基づいて駐車情報提供装置は、ユーザ端末から受信された検索条件情報のうち既に設定された重要順番に基づいて再検索することができる。
【００７９】
例えば、駐車情報提供装置は、駐車時間を１順位にし、ユーザ端末と空の駐車場との距離を２順位にして検索することができる。
【００８０】
他の実施例に基づいて駐車情報提供装置は、ユーザ端末から受信された検索条件情報のうち最も多くの条件に該当するかどうかに応じて、検索することができる。
【００８１】
また、駐車情報提供装置は、検索された一つ以上の駐車情報をユーザ端末に提供する（Ｓ３４００）。
【００８２】
すなわち、駐車情報提供装置は、検索された一つ以上の駐車情報をユーザの設定に応じて価格、距離などのいずれかの条件に基づいて降順にソートして提供することができる。
【００８３】
また、駐車情報提供装置は、ユーザ端末から駐車選択情報を受信することができる（Ｓ３５００）。
【００８４】
また、駐車情報提供装置は、ステップＳ３５００で受信した駐車選択情報に基づいて電子クーポンを発行することができる（Ｓ３６００）。ここで、駐車選択情報は、駐車場の識別情報、駐車時間情報、及び駐車時間情報に関連した価格情報のうち一つ以上を含む。また、電子クーポンは駐車場の識別情報、駐車時間情報、発行回次及び乱数の一つ以上を含む。
【００８５】
本発明の一実施例によれば、ステップＳ３６００で駐車情報提供装置は、電子クーポンをユーザ端末及び駐車場提供者端末のうち１つ以上の端末に送信することができる。
【００８６】
また、駐車情報提供装置は、既に発行された複数の電子クーポンに基づいて、現在時間に駐車可能な駐車場情報を提供することができる（Ｓ３７００）。
【００８７】
また、駐車情報提供装置は、ユーザ端末または駐車場提供者端末から入車情報を受信することができる（Ｓ３８００）。
【００８８】
本発明の一実施例によれば、ステップＳ３８００で駐車情報提供装置は、駐車選択情報に基づいて、ユーザ端末にアラーム情報を提供し、アラーム情報に対応する入車情報をユーザ端末から受信することができる。
【００８９】
また、駐車情報提供装置は、ユーザ端末または駐車場提供者端末から出車情報を受信することができる（Ｓ３９００）。
【００９０】
また、駐車情報提供装置は、ステップＳ３９００で受信した出車情報に基づいて、駐車場提供者端末に関連した駐車場の現在時刻に駐車された車両台数を更新することができる（Ｓ３９９０）。
【００９１】
図３により説明された実施例に係る駐車情報提供方法は、コンピュータによって実行されるプログラムモジュールなどのコンピュータによって実行可能な命令語を含む記録媒体の形でも具現されうる。コンピューター可読媒体は、コンピュータによってアクセスされることができる任意の利用可能媒体であり得、揮発性及び不揮発性媒体、分離型及び非分離型媒体をすべて含む。また、コンピュータ可読媒体は、コンピュータ保存媒体及び通信媒体をすべて含みうる。コンピュータ保存媒体は、コンピュータ可読命令語、データ構造、プログラムモジュール、またはその他のデータなどの情報の保存のための任意の方法または技術で具現された揮発性及び不揮発性、分離型及び非分離型媒体をすべて含む。通信媒体は、典型的にコンピュータ可読命令語、データ構造、プログラムモジュール、または搬送波のような変調されたデータ信号のその他のデータ、またはその他の伝送メカニズムを含み、任意の情報伝達媒体を含む。
【００９２】
前述した本発明の説明は例示のためのものであり、本発明が属する技術分野の通常の知識を有する者は、本発明の技術的思想や必須的な特徴を変更せずに、他の具体的な形で容易に変形が可能ということを理解することができるだろう。したがって、以上で記述した実施例は、すべての面で例示的なものであり、限定的なものではないと理解しなければならない。例えば、単一型と説明されている各構成要素は、分散されて実施されることがあり、同様に分散されたものと説明されている構成要素も結合された形で実施されうる。
【００９３】
本発明の範囲は、前記詳細な説明より後述する特許請求の範囲によって示され、特許請求の範囲の意味及び範囲、そして、その均等概念から導き出されるすべての変更または変形された形態が本発明の範囲に含まれるものと解釈されなければならない。
【産業上の利用可能性】
【００９４】
本発明は、複数の駐車場の駐車情報を管理し、ユーザの検索条件に基づいて駐車情報をユーザ端末に提供し、ユーザの要求に対応して駐車場で利用できる電子クーポンを発行して提供するものであって、駐車情報提供方法及び装置について産業上の利用可能性がある。
【図１】
0006620363.tif 000002
【図２】
0006620363.tif 000003
【図３】
0006620363.tif 000004